(57)【特許請求の範囲】
【請求項１】
モータにより駆動されるポンプ、このポンプの吐出管上に設けられた圧力検出器、並びに、前記圧力検出器で検出された前記ポンプの吐出圧力に基づいて前記モータを制御するとともに、前記モータの制御情報及び前記圧力検出器で検出された前記ポンプの吐出圧力を送信する制御回路部を有するポンプ装置と、
前記制御回路部と２．４ＧＨｚ以上２．４８５ＧＨｚ以下のＩＳＭ帯の周波数帯の電波を用いた無線通信を行なう通信部、前記通信部を介して前記モータの制御情報及び前記制御回路部から受信した前記圧力検出器で検出された前記吐出圧力を表示する表示部、並びに、前記モータの制御指示を入力する入力部を有し、前記モータの制御情報及び前記圧力検出器で検出された前記吐出圧力を、前記制御回路部を介して前記無線通信により受信するとともに、前記入力部により入力された前記制御指示を前記無線通信により前記制御回路部へ送信可能に形成された通信装置と、を備え、
前記制御回路部は、前記通信装置からの前記制御指示を受信するとともに、前記制御指示に基づいて前記モータを制御することを特徴とする給水装置。
【請求項２】
前記ポンプ装置は、前記ポンプを複数備えることを特徴とする請求項１に記載の給水装置。
【請求項３】
前記ポンプ装置は、前記ポンプの吐出管上に設けられた流量検出器をさらに備え、前記制御回路部により前記前記流量検出器で検出された流量を前記通信装置に送信可能に形成され、
前記通信装置は、受信した前記流量検出器で検出された流量を前記表示部に表示させることを特徴とする請求項１に記載の給水装置。
【請求項４】
前記ポンプ装置を１台以上７台以下有することを特徴とする請求項１に記載の給水装置。
【請求項５】
前記請求項１〜４のいずれかに記載の給水装置と、
前記通信装置にネットワーク接続されたサーバと、
前記通信装置から少なくとも前記給水装置により実行された運転の情報を前記サーバで受信するとともに、少なくとも前記給水装置に実行させる運転の情報を前記サーバから前記通信装置に送信する通信手段と、
前記サーバに設けられ、前記給水装置に関する情報が記憶された記憶手段と、
前記給水装置から送信される前記情報と前記記憶手段に記憶された情報とを比較する比較手段と、
この比較手段の比較結果に基づいて、少なくとも前記給水装置の運転の情報を変更可能な変更手段と、を備えることを特徴とする給水システム。
【発明の詳細な説明】
【技術分野】
【０００１】
本発明は、水の供給量を制御可能な給水装置及び給水装置を用いた給水システムに関し、特に遠隔通信が可能なものに関する。
【背景技術】
【０００２】
建造物へポンプを用いて水を供給する給水装置は、給水量等の制御をポンプの下流に設けた圧力検出器の検出結果に基いて、予め設定しておいた運転制御に基いて、制御回路を有する制御盤がモータの回転数をインバータ制御するものが知られている。
【０００３】
このような給水装置を用いた場合、予め、作業員が建造物毎に使用圧力や給水量を設定し、その設定値に近づくように、制御回路がモータの回転数を制御することで、給水装置が運転される。このような給水装置を用いた場合、外部環境の変化、及び、使用水量の急増等により、給水装置に異常が発生した場合には異常を知らせるブザー等により、周囲に報知するものが知られている。この異常ブザーにより、作業員が給水装置を点検するとともに、運転条件の再設定等を行なうことで、給水装置の復旧等を行なう。しかし、このような給水装置では、作業員が給水装置まで移動し、点検及び再設定等を行なう必要があった。
【０００４】
また、このような給水装置は、寒冷地等の凍結の可能性がある地域では、例えば地面に穴部を設け、この穴部に給水装置を設置する場合もある。しかし、穴部に給水装置を設ける場合には、人の落下の防止や外部環境からの防備等の理由から、蓋体が設けられている。このような蓋体は、上部に車両等が停止しても耐えうる強度に形成されており、これにより重量がおおきくなっている。
【０００５】
このため、蓋体を有する穴部に設けられた給水装置では、ポンプの運転条件を設定することや、異常時の点検等を行なうには、重い蓋体を取り外してから、穴部に作業員が入って作業をする必要があり、作業性が悪い、という問題があった。
【０００６】
そこで、穴部に入らなくとも給水装置の設定を可能とするため、給水装置に赤外線通信回路を設け、制御盤カバーやポンプカバーを開けることなく、外部から設定を入力可能とした給水装置（ポンプ装置）が知られている。
【特許文献１】特開２００５−２０１０５１号公報
【発明の開示】
【発明が解決しようとする課題】
【０００７】
上述したような給水装置では次のような問題があった。即ち、上述した赤外線通信回路を設け、赤外線通信が可能とした給水装置では、穴部に入らなくとも作業が可能となった。しかし、赤外線通信は、その特性上、遠隔通信距離が短く、給水装置に近づかなくては使用することができなかった。また、赤外線通信は、その通信速度が遅いため、作業効率が悪く、さらに時間がかかる、という問題もあった。また、ポンプカバーや制御盤カバーは開ける必要が無いが、例えば蓋体に覆われた穴部に給水装置が設けられている場合には、重い蓋体を開ける必要があり、作業時間の増大となっていた。
【０００８】
そこで本発明は、水の供給量を制御可能な給水装置であって、特に、作業時間を増大させることなく、遠隔通信が可能な給水装置を提供することを目的としている。
【課題を解決するための手段】
【０００９】
前記課題を解決し目的を達成するために、本発明の給水装置及び給水システムは次のように構成されている。
【００１０】
モータにより駆動されるポンプ、このポンプの吐出管上に設けられた圧力検出器、並びに、前記圧力検出器で検出された前記ポンプの吐出圧力に基づいて前記モータを制御するとともに、前記モータの制御情報及び前記圧力検出器で検出された前記ポンプの吐出圧力を送信する制御回路部を有するポンプ装置と、前記制御回路部と２．４ＧＨｚ以上２．４８５ＧＨｚ以下のＩＳＭ帯の周波数帯の電波を用いた無線通信を行なう通信部、前記通信部を介して前記モータの制御情報及び前記制御回路部から受信した前記圧力検出器で検出された前記吐出圧力を表示する表示部、並びに、前記モータの制御指示を入力する入力部を有し、前記モータの制御情報及び前記圧力検出器で検出された前記吐出圧力を、前記制御回路部を介して前記無線通信により受信するとともに、前記入力部により入力された前記制御指示を前記無線通信により前記制御回路部へ送信可能に形成された通信装置と、を備え、前記制御回路部は、前記通信装置からの前記制御指示を受信するとともに、前記制御指示に基づいて前記モータを制御することを特徴とする。
【００１１】
前記給水装置と、前記通信装置にネットワーク接続されたサーバと、前記通信装置から少なくとも前記給水装置により実行された運転の情報を前記サーバで受信するとともに、少なくとも前記給水装置に実行させる運転の情報を前記サーバから前記通信装置に送信する通信手段と、前記サーバに設けられ、前記給水装置に関する情報が記憶された記憶手段と、前記給水装置から送信される前記情報と前記記憶手段に記憶された情報とを比較する比較手段と、この比較手段の比較結果に基づいて、少なくとも前記給水装置の運転の情報を変更可能な変更手段と、を備えることを特徴とする。
【発明の効果】
【００１２】
本発明によれば、水の供給量を制御可能な給水装置であって、特に、作業時間を増大させることなく、遠隔通信が可能なものを提供することが可能となる。
【発明を実施するための最良の形態】
【００１３】
以下、本発明の第１の実施の形態に係る給水装置１を図１、２を用いて説明する。図１は本発明の第１の実施の形態に係る給水装置１の構成を示す説明図、図２は同給水装置１に用いられるポンプ装置１０及び通信装置４０の構成を示す説明図である。なお、図１、２中Ｅは地面、Ｆは水の流れ方向、Ｇは建造物、Ｒは無線通信、Ｓは信号線、Ｔは給水口をそれぞれ示している。
【００１４】
図１、２に示すように、給水装置１は、例えば水道本管から分岐された分岐管５と、分岐管５に接続されたポンプ装置１０と、ポンプ装置１０の下流に給水配管６を介して設けられ、建造物Ｇに配設された蛇口等の各給水口Ｔと、前記ポンプ装置１０と通信可能に形成された通信装置４０とを備えている。
【００１５】
ポンプ装置１０は、分岐管５に接続されたポンプユニット１１と、このポンプユニット１１に信号線Ｓにより接続された制御盤（制御回路部）１２と、を備えている。また、例えばポンプ装置１０は、地面Ｅに設けられた設置溝１３に設けられ、蓋体１４により外気に露出しない構成となっている。
【００１６】
ポンプユニット１１は、その上流側が分岐管５に接続され、下流側に給水配管６を介して接続されている。また、ポンプユニット１１は、上流側から、モータ１６が回転軸１７を介して接続されたポンプ１８、流量検出器１９、逆止弁２０、圧力検出器２１、及び、アキュムレータ２２とが順次接続されている。なお、モータ１６、流量検出器１９及び圧力検出器２１は、制御盤１２に信号線Ｓを介して接続されており、流量検出器１９及び圧力検出器２１の検出結果に基づいて制御盤１２により制御可能に形成されている。
【００１７】
制御盤１２は、制御部２５を備えている。また、制御盤１２は、インバータ２６、表示部２７、通信部２８、入力部２９を備えており、制御部２５にバスライン３０を介して接続されている。インバータ２６は、流量検出器１９及び圧力検出器２１の検出結果に基づいた制御部２５の指示により、モータ１６を制御可能に形成されている。表示部２７は、ポンプユニット１１の運転状況やエラー等を表示可能に形成されている。入力部２９は、ポンプユニット１１の運転指示が入力可能に形成されている。
【００１８】
通信部２８は、ポンプ装置１０の情報を、通信装置４０と２．４ＧＨｚ以上２．４８５Ｈｚ以下のＩＳＭ帯の周波数帯の電波で無線通信可能に形成されている。このよう無線通信を可能とするために、通信部２８は、例えばＢｌｕｅＴｏｏｔｈ（登録商標）等の無線通信の規格及び技術を用いたもので形成されている。なお、この電波を用いた無線通信は０〜１００ｍ程度迄可能となっている。
【００１９】
通信装置４０は、例えば建造物Ｇ内部のメンテナンス室や守衛室等に配置され、例えばパーソナルコンピュータ等が用いられる。通信装置４０は、制御部として例えばＣＰＵ（Central Processing Unit）４１を搭載している。また、内部記憶装置であり制御プログラム記憶用のＲＯＭ（Read Only Memory）４２と、データ記憶用のＲＡＭ（Random Access Memory）４３と、外部記憶装置であり多数のデータファイルが格納されたＨＤＤ（Hard Disk Drive）４４と、各情報を出力するディスプレイ等で形成された表示部４５と、外部情報や指示を入力するキーボードやマウス等で形成された入力部４６と、通信部４７とを備えている。これら構成品は、ＰＣＩバス等のバスライン４８によりＣＰＵ４１にそれぞれ接続されている。
【００２０】
ＲＡＭ４３には、制御盤１２の制御部２５に記録されている制御設定値、及び、流量検出器１９と圧力検出器２１との検出結果を受信可能であって、制御設定値を変更可能なプログラムが記憶されている。
【００２１】
このように構成された給水装置１において、給水装置１の通常動作時の説明を行なう。給水装置１の通常動作では、まず、電源がＯＮとなると、モータ１６及び制御盤１２に電力が供給される。制御盤１２の制御部２５は、予め制御部２５に設定されたモータ１６の運転制御の情報（制御設定値）をインバータ２６に指示する。インバータ２６は、この指示に基づいて、信号線Ｓによりモータ１６を運転（回転）させる。
【００２２】
モータ１６が回転すると、回転軸１７を介してポンプ１８が回転（作動）することとなる。ポンプ１８が回転すると、分岐管５内部を流れる水がポンプ１８により増圧されるとともに、ポンプ１８の吐出口から吐出され、建造物Ｇの各給水口Ｔに給水されることとなる。このため、各給水口Ｔをいずれか開とすると、水が給水口Ｔから吐出される。
【００２３】
なお、ポンプ１８から吐出された水は、流量検出器１９、逆止弁２０、圧力検出器２１及びアキュムレータ２２を介して建造物Ｇへ給水されることとなる。
【００２４】
このとき流量検出器１９及び圧力検出器２１は、常時、ポンプ１８からの吐出圧力（及び流量）を検出し、この検出結果（圧力及び流量）を信号線Ｓを介して制御部２５へ送信する。制御部２５は、信号線Ｓから受信した検出結果と、制御部２５に予め設定してある運転制御に対するポンプ１８の吐出流量及び吐出圧力等の制御値とを比較し、検出結果が制御値と近似するようにインバータ２６にモータ１６の制御指示を与える。このように、ポンプ１８の吐出量（水の供給量）が一定となるように、制御部２５はポンプユニット１１を制御する。
【００２５】
また、制御部２５は、受信した検出結果及び制御設定値を通信部２８から、電波を無線通信Ｒにより通信装置４０の通信部４７へと送信する。通信装置４０のＣＰＵ４１は、通信部４７で受信した検出結果をＲＡＭ４３（又はＨＤＤ４４）で記憶させるとともに、表示部４５で、これら検出結果を表示させる。
【００２６】
例えば、定期点検時等においては、作業員が、通信装置４０の表示部４５に表示された検出結果を目視確認することで、現在のポンプ装置１０の作動確認を行なう。
【００２７】
次に、作業員が、給水装置１の給水量を変更する場合や、水道本管の圧力低下等により制御部２５の設定値、即ち運転制御設定値の変更を行なう場合について説明する。まず、上述にもあるように、表示部４５に表示された流量検出器１９及び圧力検出器２１による検出結果を作業員は確認する。
【００２８】
この確認時に、給水量が不足（又は過多）している場合には、作業員は、入力部４６からＲＡＭ４３に記憶されている制御設定値の変更用プログラムを起動させる指示を入力する。この入力により、ＣＰＵ４１は、ＲＡＭ４３からプログラムを起動させ、この起動させたプログラムを表示部４５に表示させる。
【００２９】
作業員は、表示されたプログラムに、制御設定値の変更値のデータを入力する。ＣＰＵ４１は、このデータをＲＡＭ４３（又はＨＤＤ４４）に記憶させるとともに、通信部４７からデータを電波により無線通信Ｒを行い、制御盤１２の通信部２８へ送信させる。
【００３０】
制御部２５は、通信部２８で変更した制御設定値のデータを受信すると、この制御設定値を基にインバータ２６へ制御指示を行なう。インバータ２６は、この制御設定値を基に、モータ１６を制御する。
【００３１】
このとき、電波はその特性上、蓋体１４を透過してデータが移動するため、通信部４７と通信部２８との間に蓋体１４が設けられていても、データが通信されることとなる。
【００３２】
このような構成の給水装置１とすることで、電波を用いた無線通信Ｒにより、インバータ２６によるモータ１６の運転制御は、通信装置４０で作業員が制御設定値を設定（変更）し、これを通信部２８、４７により制御盤１２に指示を与えることが可能となる。これにより、作業時間の短縮及び作業性の向上となる。特に、作業員が蓋体１４を除去する場合には、蓋体１４の重量により、作業性が悪く時間がかかるとともに、足等へ蓋体１４が落下することによる怪我等の虞がある。このため、蓋体１４をポンプ装置１０の設定や故障時等毎に除去することで、作業性及び作業時間が増大する。このため、作業時間の短縮及び作業性の向上となる。また、蓋体１４除去時に、蓋体１４の落下によるポンプ装置１０の破損を防止することも可能となり、信頼性の向上にもつながる。
【００３３】
また、蓋体１４を除去後、地面Ｅに設けられたポンプ装置１０が接地されている設置溝１３に作業員が入って作業をする必要がなくなる。これにより、さらに作業性の向上になるとともに、設置溝１３への進入時の怪我やポンプ装置１０の破損をも防止することとなる。
【００３４】
また、Ｂｌｕｅ  ｔｏｏｔｈ(登録商標)等の２．４ＧＨｚ以上２．４８５ＧＨｚ以下のＩＳＭ(Ｉｎｄｕｓｔｒｙ  Ｓｃｉｅｎｃｅ  Ｍｅｄｉｃａｌ)帯の周波数帯の電波を用いて通信を行なうことで、長距離（１０〜１００ｍ）の間であっても、通信部２８、４７で通信が可能となり、作業性の向上となる。特に、２．４ＧＨｚ程度の周波数帯の電波の使用は、免許も必要なく、汎用性にも優れる。
【００３５】
上述したように、本発明の給水装置１とすることで、通信部２８、４７により、制御盤１２と通信装置４０とを通信可能とすることで、制御盤１２の設定を容易に変更可能となり、作業性の向上及び作業時間の短縮とすることが可能となる。
【００３６】
次に、図３を用いて給水装置１の変形例に係る給水装置１Ａを説明する。図３は本発明の変形例に係る給水装置１Ａの構成を示す説明図である。なお、図３において図１，２と同一機能部分には同一符号を付し、その詳細な説明は省略する。
【００３７】
図３に示すように、給水装置１Ａは、分岐管５に接続されたポンプ装置１０Ａを備えている。  
ポンプ装置１０Ａは、第１ポンプユニット１１ａ及び第２ポンプユニット１１ｂを有するポンプユニットＡと、分岐管５を例えば２方向に分岐する分岐部７と、この分岐部７により分岐された一方の配管８ａ及び他方の配管８ｂとをその内部に配置させている。
【００３８】
第１ポンプユニット１１ａ及び第２ポンプユニット１１ｂは、一方の配管８ａ及び他方の配管８ｂに接続され、モータ１６が回転軸１７を介して接続されたポンプ１８と、流量検出器１９と、逆止弁２０とがそれぞれ順次接続されている。
【００３９】
ポンプユニット１１Ａは、第１ポンプユニット１１ａ及び第２ポンプユニット１１ｂのそれぞれの逆止弁２０の下流で配管が合流する合流部９を備えており、この合流部９の下流側には圧力検出器２１及びアキュムレータ２２を備えている。
【００４０】
なお、各モータ１６、各流量検出器１９及び圧力検出器２１はインバータ２６に信号線Ｓを介して接続されている。
【００４１】
このように構成された給水装置１Ａでは、通常運転時においては、インバータ２６によりポンプユニット１１Ａが制御されるとともに、例えば、夜間運転においては、第１、第２ポンプユニット１１ａ、１１ｂのどちらか一方を運転させる。例えば、夜間の使用水量が低減した場合には、圧力検出器２１及び流量検出器１９の検出結果を基に制御部２５は、第１ポンプユニット１１ａ又は第２ポンプユニット１１ｂのどちらか一方を運転（片側運転）させるとともに、他方の運転を停止させる。また、検出結果により、給水量が片側運転では給水量が不足していると判断した場合には、制御部２５は、インバータ２６に指示を与え、第１ポンプユニット１１ａ及び第２ポンプユニット１１ｂにより両側運転を行なう。
【００４２】
なお、上述した給水装置１と同様に、作業者は、これらの情報を見ながら、ＲＡＭ４３に記憶されたプログラムを介して、無線通信Ｒを通信部２８，４７同士により行い、各運転（制御設定値）を設定することが可能となる。
【００４３】
このように本願発明の給水装置１Ａによれば、上述した給水装置１と同様の効果が得られるとともに、さらに、第１ポンプユニット１１ａ又は第２ポンプユニット１１ｂのいずれか一方の運転も可能となる。これにより、給水量によって、第１ポンプユニット１１ａ及び第２ポンプユニット１１ｂの片側運転や、第１ポンプユニット１１ａ又は第２ポンプユニット１１ｂのどちらか一方が故障した際に、断水させることなく給水が可能となる。ポンプユニット１１Ａの片側交互運転により、例えば夜間等の給水量が必要のない場合等には、どちらか一方を運転させることで、消費電力等の低減とすることが可能となる。また、第１ポンプユニット１１ａ又は第２ポンプユニット１１ｂのどちらか一方故障しても給水が可能となり、信頼性の向上にもなる。
【００４４】
次に、図４、５を用いて本発明の第２の実施の形態に係る給水装置１Ｂの説明を行なう。
【００４５】
図４は本発明の第２の実施の形態に係る給水装置１Ｂの構成を示す説明図、図５は同給水装置１Ｂの構成を示す説明図である。なお、図４，５において図１〜３と同一機能部分には同一符号を付し、その詳細な説明は省略する。図４，５中Ｈは作業員を示している。
【００４６】
図４に示すように、給水装置１Ｂは、分岐管５に接続されたポンプ装置１０と通信可能に形成された通信装置４０Ａと、を備えている。
【００４７】
通信装置４０Ａは、例えば作業者が持ち運び可能な、例えばノートＰＣ（パーソナルコンピュータ）、携帯電話、ＰＨＳ（Public Health Service）、又は、ハンディターミナル等が用いられる。なお、この他持ち運びが可能なものであればよい。
【００４８】
通信装置４０Ａは、例えばＣＰＵ等の制御部を搭載している。また、内部記憶装置であり制御プログラム記憶用や、データ記憶用の記憶部を有しており、さらに、各情報を出力する表示部４５と、外部情報や指示を入力するキーボード等の入力部４６とを備えている。また、通信装置４０Ａは、アンテナ等の通信部４７を有しており、通信部２８と通信可能に形成されている。
【００４９】
このように構成された給水装置１Ｂでは、上述した給水装置１と同様に、通常運転時においては、インバータ２６によりモータ１６が制御され、給水口Ｔに給水されることとなる。次に、作業者Ｈの定期点検や、制御設定値の変更等について説明する。
【００５０】
図４に示すように、作業者Ｈは、通信装置４０Ａを持ちながら、各ポンプ装置１０が設けられた個所を巡回する。制御盤１２の通信部２８からは、ポンプ装置１０の運転における、検出結果及び制御設定値が電波として常時発信されている。なお、検出結果及び制御設定値の発信は、通信装置４０Ａから作業者が指示した際のみ発信されるようにしてもよい。このため、通信装置４０Ａを持った作業者Ｈが、電波の受信範囲に移動することで、自動的に通信部４７で電波を受信する。
【００５１】
このとき、作業者Ｈにより、運転状況に応じて制御設定値の検討を行なう場合には、通信部２８から発信されている電波を通信部４７により受信すると、通信装置４０Ａの制御部は、ポンプ装置１０の現在の運転状況を表示部４５で表示させる。この表示部４５に表示された運転状況を基に、作業者は、制御設定値の変更の有無を検討する。ここで、制御設定値を変更する場合には、作業者は、通信装置４０Ａの入力部４６から変更値を入力し、通信部４７から電波として制御盤１２の通信部２８へと変更値を送信する。制御部２５は、通信部２８で制御設定値を受信後、ポンプ装置１０の運転設定を変更する。
【００５２】
なお、ある一定の運転制御設定値に自動で変更する際には、通信装置４０Ａにその制御設定値を入力しておき、図４に示すように、作業者Ｈが、ポンプ装置１０の近く（電波通信範囲内）を巡回する。これにより、通信部２８，４７で自動的にデータの通信が行なわれ、通信部４７により対応する制御設定値を制御盤１２の通信部２８に送信させる。
【００５３】
このように送信された電波は通信部２８に受信されることで、制御盤１２の制御部２５は制御設定値に設定を変更するとともに、この変更された制御設定値に基づいてインバータ２６に指示を行う。
【００５４】
なお、この制御設定値の変更後、制御部２５は、通信部２８から、制御変更完了の情報の電波を通信部４７へと送信する。ＣＰＵ４１は、通信部２８からこの電波を通信部４７で受信すると、制御設定値変更完了の表示を表示部４５で表示させる。この表示を作業者Ｈが確認し、ポンプ装置１０の設定が完了となる。
【００５５】
図５に示すように、集合住宅地等に置いて、同様のポンプ装置１０を用いている場合には、複数のポンプ装置１０へ電波を送信することが可能となる。尚、これらポンプ装置１０の台数は、１〜７台となっており、これらポンプ装置１０には、例えば識別番号（信号）が設定されている。
【００５６】
このような場合でも、通信装置４０Ａを作業者Ｈが持ち、ポンプ装置１０の周囲を巡回する。このとき、各ポンプ装置１０は識別信号及び各ポンプ装置１０の運転情報を常時発信しており、通信装置４０Ａは、これら識別信号及び運転状況を通信部４７で受信する。通信装置４０Ａの制御部は、通信部４７で受信した各識別信号及び運転情報と、記憶部に記憶された各ポンプ装置の変更する制御設定値を、通信部４７から送信する。各ポンプ装置１０は、各対応する電波をそれぞれの通信部２８で受信し、制御設定値を変更するとともに、各ポンプ装置１０の識別信号とともに、制御値変更完了の情報を電波として各通信部２８から通信部４７へ送信する。このように、複数台のポンプ装置１０を巡回するのみで、その制御設定値等を同時に変更可能となる。
【００５７】
このように本発明の給水装置１Ｂによれば、上述した給水装置１の効果を有するとともに、さらに、通信装置４０Ａを持ち運ぶことが可能となるため、作業性が向上する。さらに、作業者がポンプ装置１０の近くを巡回することで、ポンプ装置１０の制御設定値を変更可能となり、作業性の向上及び作業時間の短縮になる。
【００５８】
また、複数台のポンプ装置１０の制御設定値を変更する際であっても、巡回するだけですみ、作業時間の大幅な短縮となる。さらに、各ポンプ装置１０に識別番号を設けることで、各ポンプ装置１０それぞれに異なる設定変更値を設定することも可能となる。
【００５９】
次に図６を用いて本発明の第３の実施の形態に係る給水装置１を用いた給水システム２の説明を行なう。
【００６０】
図６は本発明の第３の実施の形態に係る給水システム２の構成を示す説明図である。なお、図６において図１〜５と同一機能部分には同一符号を付し、その詳細な説明は省略する。
【００６１】
図６に示すように給水システム２は、複数のポンプ装置１０と、こられポンプ装置１０に無線通信Ｒにより通信可能に形成された通信装置４０と、これら通信装置４０と例えばインターネット回線（ネットワーク）１００を介して接続されたパーソナルコンピュータ等のサーバ１０１と、を備えている。即ち、給水システム２は、給水装置１とインターネット回線１００を介して接続されたサーバ１０１により構成されている。
【００６２】
これらポンプ装置１０と通信装置４０とは、各設置状況によって、例えば通信装置４０、１台に対してポンプ装置１０は１〜７台とする。また、通信装置４０は、インターネット回線１００に接続させるネットワークＩ／Ｆ（Ｉｎｔｅｒ  Ｆａｃｅ）を備えている。なお、通信装置は、ネットワークＩ／Ｆを有し、インターネット回線１００に接続可能であれば複数台接続可能となっている。
【００６３】
サーバ１０１は、制御部、ＲＯＭ、ＲＡＭ、ＨＤＤ、表示部、入力部、及び、ネットワークＩ／Ｆ（Ｉｎｔｅｒ  Ｆａｃｅ）を備え、ＲＡＭには、ポンプ装置１０の制御設定が可能な制御プログラムソフトウェアがインストールされている。また、サーバ１０１は、例えば各営業所等に設けられ、営業所の管轄内の通信装置４０及びポンプ装置１０にインターネット回線１００を用いて接続されている。
【００６４】
なお、サーバ１０１の制御部及びネットワークＩ／Ｆにより、通信手段が形成され、ＲＯＭ、ＲＡＭ及びＨＤＤにより記憶手段が形成されている。
【００６５】
このような構成の給水システム２では、まず、各ポンプ装置１０の制御設定値や運転状況等の情報が通信部２８から通信部４７に送信される。また、ポンプ装置１０の制御部２５は、それぞれの識別番号等、他のポンプ装置１０と差別化可能な信号も同時に発信する。この情報を通信装置４０が受信すると、通信装置４０は、インターネット回線１００を介してサーバ１０１へ情報を送信する。
【００６６】
サーバ１０１の制御部は、インターネット回線１００を介して受信したこれら情報を、サーバ１０１の例えばＨＤＤに記憶させるとともに、表示部に表示させる。この表示部を目視したサーバ１０１の管理者（又は作業者等）は、情報を確認するとともに、各通信装置４０に保存されている情報等のチェックを行なう。制御部は、比較手段として、これら情報とＲＡＭに予め設定されている制御設定値とを比較するとともに、制御設定値に近似するように、インターネット回線１００を介して各通信装置４０へ制御指示を送信する。また、新たに管理者が制御設定値を変更する場合には、入力部から新たな制御設定値を入力する。このように、制御部及び入力部が制御設定値等の情報の変更手段として機能することとなる。
【００６７】
各通信装置４０は、サーバ１０１からの制御指示を受信すると、ポンプ装置１０の通信部２８と電波により無線通信Ｒを行なう。この無線通信Ｒにより、制御盤１２はサーバ１０１からの運転指示を受信し、この運転指示に従ってインバータ２６を制御し、ポンプ装置１０を運転させる。
【００６８】
なお、サーバ１０１で受信したポンプ装置１０の情報に、例えばエラー発生や、給水量減少（又は増大）等の問題がある場合には、作業者はサーバの入力部から変更する制御設定値を入力する。この入力した制御設定値をサーバ１０１からインターネット回線１００を介して、対応する通信装置４０に接続された通信部４７に送信する。この情報を通信部４７が受信したら、ＣＰＵ４１は、対応するポンプ装置１０に通信部４７、２８を介して送信する。
【００６９】
このような制御設定値の変更以外にも、同様に無線通信Ｒを用いることで、様々な情報の伝達が、ポンプ装置１０を直接変更しなくとも行なうことが可能となる。例えば、ポンプ装置１０の制御盤１２、通信装置４０及びサーバ１０１等に用いられる制御プログラムソフトウェアの更新がなされた場合には、制御プログラムソフトをサーバ１０１から制御盤１２及び通信装置４０へＤＬ（Ｄｏｗｎ  Ｌｏａｄ）することもできる。これは、上述した制御設定値の通信において、制御設定値の変わりに、制御プログラムソフトウェアを通信させればよい。
【００７０】
このように本発明の第３の実施の形態によれば、営業所等に設けられたサーバ１０１により、インターネット回線１００を介して、サーバ１０１から遠距離に設置された通信装置４０に制御設定値等の情報を送信可能となる。また、通信装置４０で受信した情報を、電波により制御盤１２に送信し、この情報を基にポンプ装置１０を作動させることが可能となる。これにより、作業者が、ポンプ装置１０の設置場所へ行き、制御盤１２や通信装置４０の制御設定値を変更する必要が無い。このため、作業時間の大幅な短縮となる。また、大雪や夜間等であっても、サーバ１０１からインターネット回線１００を介して通信可能となるため、作業性の向上にもなる。
【００７１】
さらに、制御プログラムソフトもサーバ１０１から制御盤１２及び通信装置４０にＤＬさせることも可能となり、制御プログラムソフトの最新バージョンを、早急にＤＬ可能となるため、より良い制御が可能な制御プログラムソフトの使用が可能となる。これにより、運転能率の向上等につながる。
【００７２】
上述したように給水システム２によれば、インターネット回線１００を介してサーバ１０１及び通信装置４０を接続させることで、遠距離であっても、通信装置４０とサーバ１０１とにおいて情報通信が可能となる。さらに、通信装置４０とポンプ装置１０とを、電波により無線通信Ｒで情報通信を行なうことで、作業性の向上及び作業時間の大幅な短縮とすることが可能となる。
【００７３】
なお、本発明は前記実施の形態に限定されるものではない。例えば、上述した給水システム２では、インターネット回線１００を用いるとしたが、これをＰＨＳ等の基地局を中継して接続してもよい。また、携帯電話回線や電話回線、光ケーブルやＣＡＴＶ等の各種通信手段を用いてもよい。また、給水システム２では、通信装置４０を用いるとしたが、通信装置４０の変わりに通信装置４０Ａを用いてもよい。また、通信装置４０、４０Ａの両方を用いてもよい。また、給水システム２では、給水装置１を用いるとしたが、給水装置１Ａ，１Ｂを用いてもよい。
【００７４】
また、上述した給水装置１、１Ａでは、ポンプ装置１０、１０Ａは、ポンプユニット１１、１１Ａが１系統若しくは２系統としたが、これに限定されるものではなく、各使用状況において適宜ポンプユニット１１、１１Ａの数を変更可能となっている。
【００７５】
さらに、上述した給水装置１〜１Ｂでは、ポンプ装置１０を設置溝１３に設けるとしたが、これは、建造物Ｇ内に設けても、地面Ｅ上に設置してもよい。この他、本発明の要旨を逸脱しない範囲で種々変形実施可能である。
【図面の簡単な説明】
【００７６】
さらに、上述した給水装置１〜１Ｂでは、ポンプ装置１０を設置溝１３に設けるとしたが、これは、建造物Ｇ内に設けても、地面Ｅ上に設置してもよい。この他、本発明の要旨を逸脱しない範囲で種々変形実施可能である。
以下に、本願出願の当初の特許請求の範囲に記載された発明を付記する。
［１］  モータにより駆動されるポンプ、このポンプの吐出管上に設けられた圧力検出器、及び、前記モータを制御する制御回路部を有するポンプ装置と、
前記制御回路部と電波を用いた無線通信を行なう通信部、及び、前記モータの制御指示を入力する入力部を有する通信装置と、を備え、
前記通信装置は、少なくとも前記モータの制御情報を前記制御回路部を介して前記無線通信により受信するとともに、前記入力部により入力された前記制御指示を前記無線通信により前記制御回路部へ送信し、
前記制御回路部は、前記通信装置からの前記制御指示を受信するとともに、前記制御指示に基づいて前記モータを制御することを特徴とする給水装置。
［２］  前記ポンプ装置は、前記ポンプを複数備えることを特徴とする［１］に記載の給水装置。
［３］  前記通信部は、２．４ＧＨｚ以上２．４８５Ｈｚ以下のＩＳＭ帯の周波数帯の電波で通信することを特徴とする［１］に記載の給水装置。
［４］  前記ポンプ装置を１台以上７台以下有することを特徴とする［１］に記載の給水装置。
［５］  前記［１］〜［４］のいずれかに記載の給水装置と、
前記通信装置にネットワーク接続されたサーバと、
前記通信装置から少なくとも前記給水装置により実行された運転の情報を前記サーバで受信するとともに、少なくとも前記給水装置に実行させる運転の情報を前記サーバから前記通信装置に送信する通信手段と、
前記サーバに設けられ、前記給水装置に関する情報が記憶された記憶手段と、
前記給水装置から送信される前記情報と前記記憶手段に記憶された情報とを比較する比較手段と、
この比較手段の比較結果に基づいて、少なくとも前記給水装置の運転の情報を変更可能な変更手段と、を備えることを特徴とする給水システム。
【符号の説明】
【００７７】
１，１Ａ，１Ｂ…給水装置、２…給水システム、５…分岐管、６…給水配管、７…分岐部、８ａ…一方の配管、８ｂ…他方の配管、９…合流部、１０、１０Ａ…ポンプ装置、１１…ポンプユニット、１２…制御盤（制御回路部）、１３…設置溝、１４…蓋体、１６…モータ、１７…回転軸、１８…ポンプ、１９…流量検出器、２０…逆止弁、２１…圧力検出器、２２…アキュムレータ、２５…制御部、２６…インバータ、２７…表示部、２８…通信部、２９…入力部、３０…バスライン、４０、４０Ａ…通信装置、４１…ＣＰＵ、４２…ＲＯＭ、４３…ＲＡＭ、４４…ＨＤＤ、４５…表示部、４６…入力部、４７…通信部、４８…バスライン、１００…インターネット回線、１０１…サーバ、Ｇ…建造物、Ｔ…給水口、Ｓ…信号線、Ｅ…地面、Ｒ…無線通信、Ｈ…作業者。
【図１】
0005085236.tif 000002
【図２】
0005085236.tif 000003
【図３】
0005085236.tif 000004
【図４】
0005085236.tif 000005
【図５】
0005085236.tif 000006
【図６】
0005085236.tif 000007